(57)【要約】【課題】框をダボ結合して枠を構成する際に突合わせ端部が露出してしまって美観を損なうことがない框組み扉を提供する。【解決手段】左右の縦框１と上下の横框２とで枠組Ｆを構成すると共に前記枠組Ｆ内に面板３を設ける框組み扉である。左右の縦框１の互いに対向する側面１１の上下端部にそれぞれ上下の横框２の側端面２１が嵌入される凹段部４を形成し、上下の横框２の側端面２１にダボ突起５２を突設すると共に上記凹段部４に前記ダボ突起５２がダボ結合されるダボ孔５１を設けた。【選択図】　　　　図１
2004027618.tif 000002
【特許請求の範囲】
【請求項１】
左右の縦框と上下の横框とで枠組を構成すると共に前記枠組内に面板を設ける框組み扉において、左右の縦框の互いに対向する側面の上下端部にそれぞれ上下の横框の側端面が嵌入される凹段部を形成し、上下の横框の側端面にダボ突起を突設すると共に上記凹段部に前記ダボ突起がダボ結合されるダボ孔を設けて成ることを特徴とする框組み扉。
【請求項２】
縦框に飾り桟を両面粘着性テープにて取付けて成ることを特徴とする請求項１記載の框組み扉。
【請求項３】
面板に複数のダボ貫通孔を形成すると共に飾り桟の面板への取付面にダボ取付孔を形成し、前記面板のダボ貫通孔に嵌入されるダボ軸の両端部にそれぞれ面板の両側から飾り桟のダボ取付孔を被嵌して飾り桟を面板に取付けて成ることを特徴とする請求項１記載の框組み扉。
【発明の詳細な説明】
【０００１】
【発明の属する技術分野】
本発明は、枠組内に面板を設けてなる框組み扉に関するものである。
【０００２】
【従来の技術】
従来より、框組み扉がよく用いられている。これは、左右の縦框と上下の横框とで正面視略長方形状をした枠組を構成し、この枠組内に面板を設けて扉を形成するものである。この框組み扉は、上下の横框の側端面にダボ突起を突設すると共に、左右の縦框の互いに対向する側面の上下端部の前記ダボ突起に対応する位置にダボ孔を形成し、左右の縦框の上端部間及び下端部間にそれぞれ上下の横框を挟む状態でダボ結合するものである。
【０００３】
上記のような従来の框組み扉にあっては、左右の縦框のほぼ面一状に形成してある側面に当接する上下の横框の側端面が露出してしまって見苦しく美観が損なわれるものであった。
【０００４】
【発明が解決しようとする課題】
本発明は上記の点に鑑みてなされたものであり、その目的とするところは、框をダボ結合して枠を構成する際に突合わせ端部が露出してしまって美観を損なうことがない框組み扉を提供することを課題とするものである。
【０００５】
【課題を解決するための手段】
上記課題を解決するために本発明に係る框組み扉は、左右の縦框１と上下の横框２とで枠組Ｆを構成すると共に前記枠組Ｆ内に面板３を設ける框組み扉において、左右の縦框１の互いに対向する側面１１の上下端部にそれぞれ上下の横框２の側端面２１が嵌入される凹段部４を形成し、上下の横框２の側端面２１にダボ突起５２を突設すると共に上記凹段部４に前記ダボ突起５２がダボ結合されるダボ孔５１を設けて成ることを特徴とするものである。このような構成とすることで、左右の縦框１及び上下の横框２をダボ結合にて組立てて框組み扉を構成するものでありながら、横框２の側端面２１と縦框１の凹段部４の突き合わせ部の端面が露出しないようにできて、見栄えが良くなるものである。
【０００６】
また、縦框１に飾り桟６を両面粘着性テープ７にて取付けることが好ましい。このような構成とすることで、容易に飾り桟６を取付けることができる。
【０００７】
また、面板３に複数のダボ貫通孔を形成すると共に飾り桟６の面板３への取付面にダボ取付孔６１を形成し、前記面板３のダボ貫通孔に嵌入されるダボ軸６２の両端部にそれぞれ面板３の両側から飾り桟６のダボ取付孔６１を被嵌して飾り桟６を面板３に取付けることが好ましい。このような構成とすることで、経年劣化によって飾り桟６が外れることがない。
【０００８】
【発明の実施の形態】
以下、本発明を添付図面に示す実施形態に基づいて説明する。框組み扉は、図２に示すように、枠組Ｆと、枠組Ｆ内に設けられる面板３とで大きく構成される。
【０００９】
枠組Ｆは、左右の縦框１と上下の横框２の四個の框にて構成される正面視略正方形状をしたものである。左右の縦框１には、互いに対向する側面１１の上下端部にダボ孔５１が設けてあり、上下の横框２の側端面２１にダボ突起５２が突設してある。そして、この上下の横框２の側端面２１のダボ突起５２をそれぞれ左右の縦框１のダボ孔５１に嵌入してダボ結合するものである。
【００１０】
面板３は、上述したように枠組Ｆ内に嵌め込まれる板状のものである。更に詳しくは、左右の縦框１及び上下の横框２の互いに対向する面に面板嵌入用の凹溝１２を形成し（図３参照）、框を結合して枠組Ｆを形成する際に前記凹溝１２に面板３の周端縁を嵌入して框組み扉を構成するものである。
【００１１】
図３に縦框１を示す。縦框１は、薄板状部材１ａの表側面に表面シート１ｂを貼着すると共に裏側面（即ち表面シート１ｂを貼着していない側の面）にＶ溝１ｃを形成し、平面視で矩形枠状となるように前期Ｖ溝１ｃにて薄板状部材１ａを折曲して正面視長方形状に形成する。そして、上記のように平面視矩形枠状に形成する際に芯材１ｄを内部に配設して補強するもので、特に、図に示すように正面視における左右両側端部に上下方向に長い芯材１ｄを配設してある。なお、本実施形態においては、表面シート１ｂはＰＰ（ポリプロピレン）又はＰＥＴ（ポリエチレンテレフタラート）で形成され、芯材１ｄは木材で形成してある。
【００１２】
そして本実施形態では、左右の縦框１の上端部間及び下端部間にそれぞれ上下の横框２を挟む状態で当接させる際、上下の横框２の側端面２１が露出しないように左右の縦框１の側面１１より内部に位置するように縦框１の側面１１に凹段部４を形成するものである。
【００１３】
凹段部４は、縦框１の内側の側面１１の上下端部の薄板状部材１ａ及び表面シート１ｂを除去して芯材１ｃの表面が底面となって露出するように形成してある。そして、この凹段部４（即ち芯材１ｃ）にダボ孔５１を形成するもので、上下の凹段部４にそれぞれ上下方向に三個ずつ形成してある。また、上下の凹段部４の間の側面１１には、面板３が嵌入される凹溝が形成される。
【００１４】
次に、横框２について説明する。横框２は、図４に示すようなもので、左右の縦框１の上端部間と下端部間にそれぞれ挟み込まれる状態で取付けられるもので、横框２の側端面２１は上述した凹段部４に嵌入されて露出しないものである。横框２の側端面２１には、上述した凹段部４のダボ孔５１に対応する位置にダボ孔５３を形成してあり、このダボ孔５３にダボ軸部５４を嵌入してダボ突起５２を形成してある。また、上の横框２の下端面及び下の横框２の上端面には、面板３のそれぞれ上下端縁が嵌入される凹溝２２が形成してある。
【００１５】
このような縦框１及び横框２を用いて框組み扉を組立てるには、例えば、面板３の上下の端縁にそれぞれ上下の横框２の凹溝２２を被嵌して取付け、この状態で面板３の左右の端縁にそれぞれ左右の縦框１の凹溝１２を被嵌すると共に、縦框１のダボ孔５１に横框２のダボ突起５２を嵌入して横框２の側端面２１を凹段部４に嵌入するものである。
【００１６】
このようにすることで、左右の縦框１及び上下の横框２をダボ結合にて組立てて框組み扉を構成するものでありながら、突き合わせ部（即ち横框２の側端面２１と縦框１の凹段部４）の端面が露出しないようにできて、見栄えが良くなるものである。
【００１７】
また、このような框組み扉には、飾り桟６を取付けてもよいものである。これは、框組み扉の面板３の露出部分の上下方向の縁部（即ち縦框１の側面１１に位置している部分）に図５（ｂ）に示すような飾り桟６を取付けるものである（図５（ａ）参照）。飾り桟６は、取付面に両面粘着性テープ７を貼着して面板３（又は縦框１）に取付けられるものである。このようにすることで、飾り桟６を容易に取付け可能とすることができる。
【００１８】
また、飾り桟６を上述したような面板３の上下方向の縁部のみならず、図６（ａ）に示すように、面板３の横方向に所定の間隔を隔てて複数設けてもよい。これは、上述したような面板３の縁部に設ける飾り桟６の他に、飾り桟として図６（ｂ）に示すような格子状部材６３を設けるもので、この格子状部材６３においても取付面に両面粘着性テープ７を貼着して面板３に取付けてある。このようにすることで、飾りとしての飾り桟６（即ち格子状部材６３）を多数設けることができて、多種類の飾り桟６を用いて模様のバリエーションを豊富にできるものである。
【００１９】
また、飾り桟６（格子状部材６３を含む）の取付けを両面粘着性テープ７によるのではなくダボ結合にて取付けるようにしてもよい。これは、図７に示すように、面板３に飾り桟６を取付けるための複数のダボ貫通孔を形成し、飾り桟６の取付面にダボ取付孔６１を形成し、前記面板３のダボ貫通孔にダボ軸６２を両端部が突出するように嵌入し、この突出するダボ軸６２の両端部をそれぞれ飾り桟６のダボ取付孔６１に被嵌することで行われる。
【００２０】
このようにダボ結合にて取付けることで、両面粘着性テープ７のように経年劣化によって飾り桟６が外れることがない。
【００２１】
【発明の効果】
上記のように本発明の請求項１記載の発明にあっては、左右の縦框と上下の横框とで枠組を構成すると共に前記枠組内に面板を設ける框組み扉において、左右の縦框の互いに対向する側面の上下端部にそれぞれ上下の横框の側端面が嵌入される凹段部を形成し、上下の横框の側端面にダボ突起を突設すると共に上記凹段部に前記ダボ突起がダボ結合されるダボ孔を設けたので、左右の縦框及び上下の横框をダボ結合にて組立てて框組み扉を構成するものでありながら、横框の側端面と縦框の凹段部の突き合わせ部の端面が露出しないようにできて、見栄えが良くなるものである。
【００２２】
また請求項２記載の発明にあっては、上記請求項１記載の発明の効果に加えて、縦框に飾り桟を両面粘着性テープにて取付けたので、容易に飾り桟を取付けることができる。
【００２３】
また請求項３記載の発明にあっては、上記請求項１記載の発明の効果に加えて、面板に複数のダボ貫通孔を形成すると共に飾り桟の面板への取付面にダボ取付孔を形成し、前記面板のダボ貫通孔に嵌入されるダボ軸の両端部にそれぞれ面板の両側から飾り桟のダボ取付孔を被嵌して飾り桟を面板に取付けたので、経年劣化によって飾り桟が外れることがない。
【図面の簡単な説明】
【図１】本発明の框組み扉の一実施形態の要部の分解斜視図である。
【図２】同上の框組み扉を示し、（ａ）は正面図であり、（ｂ）は水平断面図である。
【図３】同上における縦框を示し、（ａ）は一部省略正面図であり、（ｂ）は一部省略側面図であり、（ｃ）は平面図であり、（ｄ）は一部省略したＡ−Ａ断面図である。
【図４】同上における横框を示し、（ａ）は正面図であり、（ｂ）は平面図であり、（ｃ）は側面図である。
【図５】（ａ）は飾り桟を取付けた框組み扉の正面図であり、（ｂ）は飾り桟の端部における斜視図である。
【図６】（ａ）は飾り桟及び格子部材を取付けた框組み扉の正面図であり、（ｂ）は格子部材の端部における斜視図である。
【図７】格子部材の他例を示す斜視図である。
【図８】従来の框組み扉の概略分解斜視図である。
【符号の説明】
１　縦框
１１　側面
２　横框
２１　側端面
３　面板
４　凹段部
５１　ダボ孔
５２　ダボ突起
Ｆ　枠組
【図１】
2004027618.tif 000003
【図２】
2004027618.tif 000004
【図３】
2004027618.tif 000005
【図４】
2004027618.tif 000006
【図５】
2004027618.tif 000007
【図６】
2004027618.tif 000008
【図７】
2004027618.tif 000009
【図８】
2004027618.tif 000010